(57)【要約】  【課題】  効率のよい広告の提供や取得を行うことができるマニュアル情報表示システムを提供する。  【解決手段】  携帯電話機２の機能別に設けられる項目１１ｂをマニュアル情報１１ａに対応付けて格納するオンラインマニュアル１１と、各項目１１ｂに対応付けられた目的を記憶する目的データベース１２と、各目的に対応付けられた広告を記憶する広告データベース１３とを有し、選択された項目に対応するマニュアル情報１１ａと選択された項目１１ｂに対応する目的に関連した広告とを同時に表示する。これにより、ユーザが使用する機能に関連する広告を表示して、多種多様な広告を提供することなく効率のよい広告の提供や取得を行うことができる。【選択図】      図１
2005346245.tif 000002
【特許請求の範囲】
【請求項１】
電子機器のオンラインマニュアルに格納されたマニュアル情報を表示するマニュアル情報表示システムにおいて、オンラインマニュアルが電子機器の機能別に設けられる項目をマニュアル情報に対応付けて格納するとともに、各前記項目に対応付けられた広告を記憶する広告データベースと、ユーザにより前記項目を選択する選択手段と、選択された項目に対応するマニュアル情報をオンラインマニュアルから取り出すマニュアル情報取出し手段と、選択された項目に対応する広告を前記広告データベースから取り出す広告取出し手段と、前記マニュアル情報取出し手段及び前記広告取出し手段により取り出したマニュアル情報及び広告を同時に表示する表示手段とを備えたことを特徴とするマニュアル情報表示システム。
【請求項２】
選択された前記項目の選択回数を記憶するアクセス回数記憶部を備え、前記広告取出し手段は選択回数が最も多い項目に対応する広告を前記広告データベースから取り出すことができるとともに、選択された項目に対応する広告と選択回数が最も多い項目に対応する広告とのどちらを前記広告取出し手段が取り出すかを切り替える切替手段を設けたことを特徴とする請求項１に記載のマニュアル情報表示システム。
【請求項３】
電子機器のオンラインマニュアルに格納されたマニュアル情報を表示するマニュアル情報表示システムにおいて、オンラインマニュアルが電子機器の機能別に設けられる項目をマニュアル情報に対応付けて格納するとともに、各前記項目に対応付けられた広告を記憶する広告データベースと、ユーザにより前記項目を選択する選択手段と、選択された前記項目の選択回数を記憶するアクセス回数記憶部と、選択された前記項目に対応するマニュアル情報をオンラインマニュアルから取り出すマニュアル情報取出し手段と、選択回数が最も多い項目に対応する広告を前記広告データベースから取り出す広告取出し手段と、前記マニュアル情報取出し手段及び前記広告取出し手段により取り出したマニュアル情報及び広告を同時に表示する表示手段とを備えたことを特徴とするマニュアル情報表示システム。
【請求項４】
複数の項目を包括する目的別に各項目に対応して格納する目的データベースを設け、前記広告データベースが広告を前記目的に対応付けて格納するとともに、前記アクセス回数記憶部が選択された前記項目に対応する目的の選択回数を記憶し、前記広告取出し手段は選択回数が最も多い項目に対応する広告に替えて選択回数が最も多い目的に対応する広告を前記広告データベースから取り出すことを特徴とする請求項２または請求項３に記載のマニュアル情報表示システム。
【請求項５】
複数の項目を包括する目的別に各項目に対応して格納する目的データベースを設け、前記広告データベースが広告を前記目的に対応付けて格納することを特徴とする請求項１〜請求項３のいずれかに記載のマニュアル情報表示システム。
【請求項６】
オンラインマニュアルは各項目に対応付けられる識別番号を格納することを特徴とする請求項１〜請求項５のいずれかに記載のマニュアル情報表示システム。
【請求項７】
前記広告取出し手段は前記広告データベースから通信回線を通じて前記広告を取得することを特徴とする請求項１〜請求項６のいずれかに記載のマニュアル情報表示システム。
【請求項８】
前記マニュアル情報取出し手段は前記オンラインマニュアルから通信回線を通じて前記マニュアル情報を取得することを特徴とする請求項１〜請求項７のいずれかに記載のマニュアル情報表示システム。
【請求項９】
情報機器自身のマニュアル情報を格納したオンラインマニュアルを表示する情報機器において、該情報機器の機能別に設けられる項目とマニュアル情報とを対応付けて格納するオンラインマニュアル及び各前記項目に対応付けられた広告を記憶する広告データベースにアクセスするアクセス手段と、ユーザにより前記項目を選択する選択手段と、選択された項目に対応するマニュアル情報をオンラインマニュアルから取り出すマニュアル情報取出し手段と、選択された項目に対応する広告を前記広告データベースから取り出す広告取出し手段と、前記マニュアル情報取出し手段及び前記広告取出し手段により取り出したマニュアル情報及び広告を同時に表示する表示手段とを備えたことを特徴とする情報機器。
【請求項１０】
情報機器自身のマニュアル情報を格納したオンラインマニュアルを表示する情報機器において、該情報機器の機能別に設けられる項目とマニュアル情報とを対応付けて格納するオンラインマニュアル及び各前記項目に対応付けられた広告を記憶する広告データベースにアクセスするアクセス手段と、ユーザにより前記項目を選択する選択手段と、選択された前記項目の選択回数を記憶するアクセス回数記憶部と、選択された前記項目に対応するマニュアル情報をオンラインマニュアルから取り出すマニュアル情報取出し手段と、選択回数が最も多い項目に対応する広告を前記広告データベースから取り出す広告取出し手段と、前記マニュアル情報取出し手段及び前記広告取出し手段により取り出したマニュアル情報及び広告を同時に表示する表示手段とを備えたことを特徴とする情報機器。
【請求項１１】
前記アクセス手段は通信回線を介してオンラインマニュアルまたは前記広告データベースにアクセスすることを特徴とする請求項９または請求項１０に記載の情報機器。
【発明の詳細な説明】
【技術分野】
【０００１】
本発明は、オンラインマニュアルに格納されたマニュアル情報を表示するマニュアル情報表示システム及び情報機器に関する。
【背景技術】
【０００２】
従来のマニュアル情報表示システムは特許文献１に開示されている。このマニュアル情報表示システムは、ＣＤ−ＲＯＭに格納されるオンラインマニュアルと、ネットワークを介して接続するサーバーに格納された広告データベースとを有している。パーソナルコンピュータにＣＤ−ＲＯＭを装着してオンラインマニュアルから所望の電子機器のマニュアル情報を選択すると、該電子機器に関連する広告が広告データベースから取り出される。マニュアル情報は関連する広告とともに表示画面に表示される。これにより、ユーザが使用している電子機器に関連する広告を提供して、ユーザにとっては有用な情報を入手できるとともに広告主にとっては効率的に広告を配信することができる。
【特許文献１】特開２００２−８４２２１号公報（第３頁−第７頁、第１図）
【発明の開示】
【発明が解決しようとする課題】
【０００３】
しかしながら、近年携帯電話機等の情報機器は非常に多くの機能を備え、情報機器に提供されるサービスも多種多様になっている。このため、上記従来のマニュアル情報表示システムによると、情報機器に関連する多種多様な広告を提供するだけではユーザにとって必要な情報を判別することが困難になる。このため、効率のよい広告の提供や取得が行うことができなくなってきていた。
【０００４】
本発明は、効率のよい広告の提供や取得を行うことができるマニュアル情報表示システム及び情報機器を提供することを目的とする。
【課題を解決するための手段】
【０００５】
上記目的を達成するために本発明は、電子機器のオンラインマニュアルに格納されたマニュアル情報を表示するマニュアル情報表示システムにおいて、オンラインマニュアルが電子機器の機能別に設けられる項目をマニュアル情報に対応付けて格納するとともに、各前記項目に対応付けられた広告を記憶する広告データベースと、ユーザにより前記項目を選択する選択手段と、選択された項目に対応するマニュアル情報をオンラインマニュアルから取り出すマニュアル情報取出し手段と、選択された項目に対応する広告を前記広告データベースから取り出す広告取出し手段と、前記マニュアル情報取出し手段及び前記広告取出し手段により取り出したマニュアル情報及び広告を同時に表示する表示手段とを備えたことを特徴としている。
【０００６】
この構成によると、オンラインマニュアルには電子機器の機能別の項目と、各項目に対応するマニュアル情報とが格納される。広告データベースには各項目に対応する広告が格納される。ユーザによる選択手段の操作によってオンラインマニュアルの項目を選択すると、選択項目に対応するマニュアル情報がマニュアル情報取出し手段によりオンラインマニュアルから取得され、選択項目に対応する広告が広告取出し手段によって広告データベースから取得される。そして、表示手段により選択項目に対応するマニュアル情報及び広告が表示される。オンラインマニュアルや広告データベースは、該電子機器内の記憶手段、パーソナルコンピュータ等により読み取り可能な記録媒体、通信回線を介して該電子機器やパーソナルコンピュータ等に接続されるサーバ等に設けることができる。
【０００７】
また本発明は、上記構成のマニュアル情報表示システムにおいて、選択された前記項目の選択回数を記憶するアクセス回数記憶部を備え、前記広告取出し手段は選択回数が最も多い項目に対応する広告を前記広告データベースから取り出すことができるとともに、選択された項目に対応する広告と選択回数が最も多い項目に対応する広告とのどちらを前記広告取出し手段が取り出すかを切り替える切替手段を設けたことを特徴としている。
【０００８】
この構成によると、ユーザによる選択手段の操作によってオンラインマニュアルの項目を選択すると、選択項目の選択回数がアクセス回数記憶部に記憶される。ユーザもしくは広告主の操作による切替手段の切り替えによって、ユーザにより選択された項目に対応する広告とユーザによる選択回数が最も多い項目に対応する広告のいずれか一方が広告データベースから取得される。そして、広告データベースから取得した広告及び選択項目に対応するマニュアル情報が表示手段により表示される。
【０００９】
また本発明は、電子機器のオンラインマニュアルに格納されたマニュアル情報を表示するマニュアル情報表示システムにおいて、オンラインマニュアルが電子機器の機能別に設けられる項目をマニュアル情報に対応付けて格納するとともに、各前記項目に対応付けられた広告を記憶する広告データベースと、ユーザにより前記項目を選択する選択手段と、選択された前記項目の選択回数を記憶するアクセス回数記憶部と、選択された前記項目に対応するマニュアル情報をオンラインマニュアルから取り出すマニュアル情報取出し手段と、選択回数が最も多い項目に対応する広告を前記広告データベースから取り出す広告取出し手段と、前記マニュアル情報取出し手段及び前記広告取出し手段により取り出したマニュアル情報及び広告を同時に表示する表示手段とを備えたことを特徴としている。
【００１０】
この構成によると、オンラインマニュアルには電子機器の機能別の項目と、各項目に対応するマニュアル情報とが格納される。広告データベースには各項目に対応する広告が格納される。ユーザによる選択手段の操作によってオンラインマニュアルの項目を選択すると、選択項目に対応するマニュアル情報がマニュアル情報取出し手段によりオンラインマニュアルから取得される。また、選択項目の選択回数がアクセス回数記憶部に記憶され、ユーザによる選択回数が最も多い項目に対応する広告が広告取出し手段によって広告データベースから取得される。そして、表示手段により選択項目に対応するマニュアル情報及び選択回数が最も多い項目に対応する広告が表示される。オンラインマニュアルや広告データベースは、該電子機器内の記憶手段、パーソナルコンピュータ等により読み取り可能な記録媒体、通信回線を介して該電子機器やパーソナルコンピュータ等に接続されるサーバ等に設けることができる。
【００１１】
また本発明は、上記構成のマニュアル情報表示システムにおいて、複数の項目を包括する目的別に各項目に対応して格納する目的データベースを設け、前記広告データベースが広告を前記目的に対応付けて格納するとともに、前記アクセス回数記憶部が選択された前記項目に対応する目的の選択回数を記憶し、前記広告取出し手段は選択回数が最も多い項目に対応する広告に替えて選択回数が最も多い目的に対応する広告を前記広告データベースから取り出すことを特徴としている。
【００１２】
この構成によると、目的データベースにはオンラインマニュアルの複数の項目に対応する目的が格納され、広告データベースには各目的に対応する広告が格納される。ユーザが項目を選択すると、選択項目に対応する目的の選択回数がアクセス回数記憶部に記憶され、ユーザによる選択回数が最も多い目的に対応する広告が広告取出し手段によって広告データベースから取得される。そして、表示手段により選択項目に対応するマニュアル情報及び選択回数が最も多い目的に対応する広告が表示される。
【００１３】
また本発明は、上記構成のマニュアル情報表示システムにおいて、複数の項目を包括する目的別に各項目に対応して格納する目的データベースを有し、前記広告データベースは広告を前記目的に対応付けて格納することを特徴としている。この構成によると、目的データベースにはオンラインマニュアルの複数の項目に対応する目的が格納され、広告データベースには各目的に対応する広告が格納される。ユーザが項目を選択すると選択項目に対応する目的が検出され、該目的に対応する広告が取り出される。
【００１４】
また本発明は、上記構成のマニュアル情報表示システムにおいて、オンラインマニュアルは各項目に対応付けられる識別番号を格納することを特徴としている。この構成によると、オンラインマニュアルにはマニュアル情報に対応する項目毎の識別番号を格納し、広告データベースや目的データベースは識別番号に対応させて広告や目的を格納する。これにより、項目と、広告や目的とが対応付けられる。
【００１５】
また本発明は、上記構成のマニュアル情報表示システムにおいて、前記広告取出し手段は前記広告データベースから通信回線を通じて前記広告を取得することを特徴としている。この構成によると、広告データベースは通信回線を介して接続されるサーバーに設けられ、広告取出し手段はサーバーにアクセスして広告を取得する。
【００１６】
また本発明は、上記構成のマニュアル情報表示システムにおいて、前記マニュアル情報取出し手段は前記オンラインマニュアルから通信回線を通じて前記マニュアル情報を取得することを特徴としている。この構成によると、オンラインマニュアルは通信回線を介して接続されるサーバーに設けられ、マニュアル情報取出し手段はサーバーにアクセスしてマニュアル情報を取得する。
【００１７】
また本発明の情報機器は、情報機器自身のマニュアル情報を格納したオンラインマニュアルを表示する情報機器において、該情報機器の機能別に設けられる項目とマニュアル情報とを対応付けて格納するオンラインマニュアル及び各前記項目に対応付けられた広告を記憶する広告データベースにアクセスするアクセス手段と、ユーザにより前記項目を選択する選択手段と、選択された項目に対応するマニュアル情報をオンラインマニュアルから取り出すマニュアル情報取出し手段と、選択された項目に対応する広告を前記広告データベースから取り出す広告取出し手段と、前記マニュアル情報取出し手段及び前記広告取出し手段により取り出したマニュアル情報及び広告を同時に表示する表示手段とを備えたことを特徴としている。
【００１８】
この構成によると、オンラインマニュアルには情報機器自身の機能別の項目と、各項目に対応するマニュアル情報とが格納される。広告データベースには各項目に対応する広告が格納される。ユーザ操作によりオンラインマニュアルの表示を指示するとアクセス手段によってオンラインマニュアル及び広告データベースにアクセスされる。ユーザによる選択手段の操作によってオンラインマニュアルの項目を選択すると、選択項目に対応するマニュアル情報がマニュアル情報取出し手段によりオンラインマニュアルから取得され、選択項目に対応する広告が広告取出し手段によって広告データベースから取得される。そして、表示手段により選択項目に対応するマニュアル情報及び広告が表示される。オンラインマニュアルや広告データベースは、該情報機器内の記憶手段、通信回線を介して該情報機器に接続されるサーバ等に設けることができる。
【００１９】
また本発明の情報機器は、情報機器自身のマニュアル情報を格納したオンラインマニュアルを表示する情報機器において、該情報機器の機能別に設けられる項目とマニュアル情報とを対応付けて格納するオンラインマニュアル及び各前記項目に対応付けられた広告を記憶する広告データベースにアクセスするアクセス手段と、ユーザにより前記項目を選択する選択手段と、選択された前記項目の選択回数を記憶するアクセス回数記憶部と、選択された前記項目に対応するマニュアル情報をオンラインマニュアルから取り出すマニュアル情報取出し手段と、選択回数が最も多い項目に対応する広告を前記広告データベースから取り出す広告取出し手段と、前記マニュアル情報取出し手段及び前記広告取出し手段により取り出したマニュアル情報及び広告を同時に表示する表示手段とを備えたことを特徴としている。
【００２０】
この構成によると、オンラインマニュアルには情報機器自身の機能別の項目と、各項目に対応するマニュアル情報とが格納される。広告データベースには各項目に対応する広告が格納される。ユーザ操作によりオンラインマニュアルの表示を指示するとアクセス手段によってオンラインマニュアル及び広告データベースにアクセスされる。ユーザによる選択手段の操作によってオンラインマニュアルの項目を選択すると、選択項目に対応するマニュアル情報がマニュアル情報取出し手段によりオンラインマニュアルから取得される。また、選択項目の選択回数がアクセス回数記憶部に記憶され、ユーザによる選択回数が最も多い項目に対応する広告が広告取出し手段によって広告データベースから取得される。そして、表示手段により選択項目に対応するマニュアル情報及び選択回数が最も多い項目に対応する広告が表示される。オンラインマニュアルや広告データベースは、該情報機器内の記憶手段、通信回線を介して該情報機器に接続されるサーバ等に設けることができる。
【００２１】
また本発明は、上記構成の情報機器において、前記アクセス手段は通信回線を介してオンラインマニュアルまたは前記広告データベースにアクセスすることを特徴としている。
【発明の効果】
【００２２】
本発明によると、電子機器の機能別に設けられる項目をマニュアル情報に対応付けて格納するオンラインマニュアルと、各項目に対応付けられた広告を記憶する広告データベースとを有し、選択された項目に対応するマニュアル情報と選択された項目に対応する広告とを同時に表示するので、ユーザが使用している機能に関連する広告を表示して、多種多様な広告を提供することなく効率のよい広告の提供や取得を行うことができる。
【００２３】
また本発明によると、選択回数が最も多い項目に対応する広告を表示可能で、表示を選択された項目に対応する広告と選択回数が最も多い項目に対応する広告とに切り替えできるので、ユーザがよく使用する機能に関連する広告を表示して、効率のよい広告の提供や取得を行うことができる。
【００２４】
また本発明によると、選択回数が最も多い項目に対応する広告を表示するので、ユーザがよく使用する機能に関連する広告を表示して、効率のよい広告の提供や取得を行うことができる。
【００２５】
また本発明によると、複数の項目を包括する目的別に各項目に対応して格納する目的データベースを設け、選択回数が最も多い目的に対応する広告を表示するので、ユーザがよく使用する関連した機能に対応する広告を表示して、効率のよい広告の提供や取得を行うことができる。
【００２６】
また本発明によると、複数の項目を包括する目的別に各項目に対応して格納する目的データベースを設け、広告データベースが広告を目的に対応付けて格納するので、オンラインマニュアルの提供者と広告主が異なる場合に広告主は広告データベースを目的別に容易に更新することができる。
【００２７】
また本発明によると、オンラインマニュアルは各項目に対応付けられる識別番号を格納するので、広告データベースや目的データベースは識別番号に対応付けて広告や目的を格納することができ、データベースを簡単にすることができる。
【００２８】
また本発明によると、広告取出し手段は広告データベースから通信回線を通じて広告を取得するので、サーバーに配された広告データベースを広告主が容易に更新することができる。
【００２９】
また本発明によると、マニュアル情報取出し手段はオンラインマニュアルから通信回線を通じてマニュアル情報を取得するので、サーバーに配されたオンラインマニュアルを提供者が容易に更新することができる。
【発明を実施するための最良の形態】
【００３０】
以下に本発明の実施形態を図面を参照して説明する。図１は一実施形態のマニュアル情報表示システムを示すブロック図である。マニュアル情報表示システム１は通信回線を通じてネットワーク２０に接続可能な携帯電話機２と、ネットワーク２０に接続されるサーバー１０とを有している。携帯電話機２はアンテナ３を介して通信する通信部（不図示）を有するとともに、表示部４及び操作部５が設けられている。表示部４は相手先情報や設定情報等の表示を行う。操作部５は通信操作や設定操作を行う。
【００３１】
サーバー１０はオンラインマニュアル１１、目的データベース１２、広告データベース１３及びアクセス回数記憶部１４を備えている。オンラインマニュアル１１は携帯電話機２のマニュアル情報を格納しており、図２に示すように、マニュアル情報１１ａの機能別に項目１１ｂを対応付けたデータベースになっている。同図に示すように、項目１１ｂとして例えば、電話のかけ方の操作を説明する「電話をかける」、電子メールの送信操作を説明する「電子メール送信」等が設けられている。また、各項目１１ｂには識別番号１１ｃが対応付けられている。
【００３２】
目的データベース１２は図３に示すように、複数の項目１１ｂを包括する目的と識別番号１１ｃとを対応付けて格納している。これにより、項目１１ｂと目的とが対応付けられる。同図に示すように、目的として例えば、「電子メール送信」、「電子メール受信」等の項目１１ｂを包括する「電子メール」等が設けられている。
【００３３】
広告データベース１２は図４に示すように、各目的に関連する広告を対応付けて格納している。これにより、項目１１ｂと広告とが対応付けられる。例えば、「電話」の目的に関連する広告として電話料金の割引サービスの広告等が設けられ、「カメラ」の目的に関連する広告として撮影画像を印刷するプリンタの広告等が設けられている。目的別に広告を対応付けることにより、オンラインマニュアルの提供者と広告主が異なる場合に広告主は広告データベースを目的別に容易に更新することができる。
【００３４】
アクセス回数記憶部１４は携帯電話機２によりネットワーク２０を介してオンラインマニュアル１１の項目１１ｂを選択すると、サーバー１０は項目１１ｂのアクセスした回数をカウントする。そして、各項目１１ｂに対応する目的別に集計して、図５に示すように目的別のアクセス回数をアクセス回数記憶部１４で記憶する。また、図６に示すように、各項目１１ｂ別のアクセス回数をアクセス回数記憶部１４で記憶してもよい。
【００３５】
サーバー１０にはパーソナルコンピュータ２１が接続されている。これにより、オンラインマニュアル１１、目的データベース１２及び広告データベース１３の内容を更新できるようになっている。また、選択された項目１１ｂに対応した目的に関連する広告を取得するか、アクセス回数の多い目的に関連する広告を取得するかをパーソナルコンピュータ２１（切替手段）により切り替えることができるようになっている。これにより、利用状況に応じて適切な広告を提供することができる。上記の切り替えを携帯電話機２によりユーザが行えるようにしてもよい。
【００３６】
図７は上記構成のマニュアル情報表示システム１の動作を示すフローチャートである。ステップ＃１１では携帯電話機２の操作によってマニュアル情報１１ａを閲覧するためのビューワを起動する。ステップ＃１２では携帯電話機２がサーバー１０にアクセスしてオンラインマニュアル１１の項目１１ｂを取得し、ユーザによる操作部５（選択手段）の操作により所望の項目１１ｂが選択される。
【００３７】
ステップ＃１３ではオンラインマニュアル１１から選択された項目１１ｂに対応するマニュアル情報１１ａが取得される。ステップ＃１４では目的データベース１２にアクセスして選択された項目１１ｂに対応する目的が取得される。ステップ＃１５では選択項目に対応する目的別のアクセス回数をアクセス回数記憶部１４に記憶する。
【００３８】
ステップ＃１６では選択された項目１１ｂに対応した目的に関連する広告を取得する設定になっているか否かが判断される。選択された項目１１ｂに対応した目的に関連する広告を取得する設定になっている場合はステップ＃１７に移行する。ステップ＃１７では選択された項目１１ｂに対応した目的に関連する広告を広告データベース１３から取得する。
【００３９】
選択された項目１１ｂに対応した目的に関連する広告を取得する設定になっていない場合はステップ＃１８に移行する。ステップ＃１８では広告データベース１３及びアクセス回数記憶部１４からアクセス回数の多い目的に関連する広告を取得する。ステップ＃１９では、図８に示すように、ステップ＃１３で取得したマニュアル情報１１ａが表示部４のマニュアル情報表示領域４ａに表示され、ステップ＃１７またはステップ＃１８で取得した広告が表示部４の広告表示領域４ｂに表示される。
【００４０】
例えば、同図に示すように、「撮影画像を見る」の項目が選択され、該項目に対応する「カメラ」の目的(図５参照)に関連した広告Ｄ（図４参照）が表示されている。アクセス回数の多い目的に関連する広告を取得する設定の場合は、「インターネット」の目的（図５参照）に関連した広告Ｃ（図４参照）が表示されることになる。
【００４１】
尚、前述の図６に示すようにアクセス回数記憶部１４に項目別のアクセス回数が記憶されている場合は、ステップ＃１８で広告データベース１３及びアクセス回数記憶部１４からアクセス回数の多い項目１１ｂに対応した目的に関連する広告を取得して表示する。
【００４２】
本実施形態によると、携帯電話機２の機能別に設けられる項目１１ｂをマニュアル情報１１ａに対応付けて格納するオンラインマニュアル１１と、各項目１１ｂに対応付けられた目的を記憶する目的データベース１２と、各目的に対応付けられた広告を記憶する広告データベース１３とを有し、選択された項目に対応するマニュアル情報１１ａと選択された項目１１ｂに対応する目的に関連した広告とを同時に表示するので、ユーザが使用する機能に関連する広告を表示して、多種多様な広告を提供することなく効率のよい広告の提供や取得を行うことができる。
【００４３】
また本発明によると、選択回数が最も多い目的もしくは項目に対応する広告を表示可能で、表示を選択された項目に対応する広告と選択回数が最も多い項目に対応する広告とに切り替えできるので、ユーザがよく使用する機能に関連する広告を表示して、効率のよい広告の提供や取得を行うことができる。
【００４４】
本実施形態において、目的別のアクセス回数をカウントしない場合には、目的データベース１２を省いてもよい。この時、広告データベース１３は図９に示すように、項目１１ｂの識別番号１１ｃに対応付けて広告が格納される。これにより、各項目１１ｂに対応した広告を取得して表示することができる。
【００４５】
また、オンラインマニュアル１１を携帯電話機２内の記憶手段に設けてもよく、目的データベース１２、広告データベース１３及びアクセス回数記憶部１４を携帯電話機２内の記憶手段に設けてもよい。加えて、携帯電話機２に替えて、ＰＤＡやノート型パーソナルコンピュータ等の情報機器を設けてもよい。
【００４６】
更に、本実施形態では携帯電話機２により携帯電話機２自身のマニュアル情報１１ａを取得しているが、他の機器のマニュアル情報を取得してもよい。例えば、携帯電話機２に替えてパーソナルコンピュータを設け、オンラインマニュアル１１から取得した他の電子機器のマニュアル情報をパーソナルコンピュータ上で表示してもよい。この時、パーソナルコンピュータ内の記憶手段もしくはパーソナルコンピュータにより読み取り可能な記録媒体にオンラインマニュアル１１、目的データベース１２、広告データベース１３及びアクセス回数記憶部１４の一部または全部を設けてもよい。
【図面の簡単な説明】
【００４７】
【図１】本発明の実施形態のマニュアル情報表示システムを示すブロック図
【図２】本発明の実施形態のマニュアル情報表示システムのオンラインマニュアルを示す図
【図３】本発明の実施形態のマニュアル情報表示システムの目的データベースを示す図
【図４】本発明の実施形態のマニュアル情報表示システムの広告データベースを示す図
【図５】本発明の実施形態のマニュアル情報表示システムのアクセス回数記憶部を示す図
【図６】本発明の実施形態のマニュアル情報表示システムの他のアクセス回数記憶部を示す図
【図７】本発明の実施形態のマニュアル情報表示システムの動作を示すフローチャート
【図８】本発明の実施形態のマニュアル情報表示システムの表示状態を示す図
【図９】本発明の実施形態のマニュアル情報表示システムの他の広告データベースを示す図
【符号の説明】
【００４８】
１    マニュアル情報表示システム
２    携帯電話機
４    表示部
５    操作部
１０    サーバー
１１    オンラインマニュアル
１２    目的データベース
１３    広告データベース
１４    アクセス回数記憶部
２０    ネットワーク
２１    パーソナルコンピュータ
【図１】
2005346245.tif 000003
【図２】
2005346245.tif 000004
【図３】
2005346245.tif 000005
【図４】
2005346245.tif 000006
【図５】
2005346245.tif 000007
【図６】
2005346245.tif 000008
【図７】
2005346245.tif 000009
【図８】
2005346245.tif 000010
【図９】
2005346245.tif 000011